(57)【要約】【課題】ホットプレートに使用されるような大型の蓋であっても大きな置き場所をとらず、コンパクトに立て掛けて置くことができる電気調理器の蓋置台を提供することを課題とする。【解決手段】ホットプレートの蓋３００を立て掛けて置くホットプレートの蓋置台１であって、脚部１１０から上方に立ち上げて上部に形作られた蓋立て掛け部１２０と、下部に形作られた受皿取付部１３０とをフレームにより形成したフレーム枠体１００を設け、凹形状を有し、その凹形状の周縁の一部に傾斜姿勢の蓋３００の下部側を係合して支持する係合支持部２１０と、前記受皿取付部１３０を形作るフレームに位置規制されて支持される位置規制部２２０とを備えた受皿２００を、前記フレーム枠体１００に取り付けて構成する。【選択図】図１
2011000139.tif 000002
【特許請求の範囲】
【請求項１】
電気調理器の蓋を立て掛けて置く電気調理器の蓋置台であって、
脚部から上方に立ち上げて上部に形作られた蓋立て掛け部と、下部に形作られた受皿取付部とをフレームにより形成したフレーム枠体を設け、
凹形状を有し、その凹形状の周縁の一部に傾斜姿勢の蓋の下部側を係合して支持する係合支持部と、前記受皿取付部を形作るフレームに位置規制されて支持される位置規制部とを備えた受皿を、前記フレーム枠体に取り付けて構成される
電気調理器の蓋置台。
【請求項２】
前記受皿取付部は、
前記受皿の外周囲を前記フレームにより支持して前記受皿を着脱自在の載せ置き式に支持する
請求項１に記載の電気調理器の蓋置台。
【請求項３】
前記受皿は、
前記フレーム枠体を搭載した基台として構成される
請求項１または２に記載の電気調理器の蓋置台。
【請求項４】
前記フレーム枠体を、
前記基台に巻き付けるように折り畳む折畳構造を有する構成とした
請求項３に記載の電気調理器の蓋置台。
【請求項５】
前記受皿は、
傾斜姿勢の蓋の下部周縁に沿って該受皿の長手方向を滑らかに湾曲させた平面視円弧形状に設けた
請求項１乃至４の何れか１項に記載の電気調理器の蓋置台。
【請求項６】
電気調理器の蓋を立て掛けて置く電気調理器の蓋置台であって、
前記蓋を傾斜させた傾斜姿勢の蓋の下部側を受け入れる凹溝状の傾斜凹部を備えた蓋置ブロックを設け、
前記傾斜凹部は、
該傾斜凹部へと導かれた流入水を溜める空間部と、
前記蓋の下端部を受け止める底面支点となる第１支点部と、
該傾斜凹部内で傾斜対向する上傾斜側の内側面に形成され、該傾斜凹部に受け入れた傾斜姿勢の蓋下部側の傾斜上面に接して該蓋下部側の傾斜上面を局部的に支える上面支点となる第２支点部と、
前記第２支点部よりも少なくとも1つが高位に位置して該傾斜凹部内で傾斜対向する下傾斜側の内側面に形成され、該傾斜凹部に受け入れた傾斜姿勢の蓋下部側の傾斜下面に接して該蓋下部側の傾斜下面を局部的に支える下面支点となる第３支点部とを備えて構成される
電気調理器の蓋置台。
【発明の詳細な説明】
【技術分野】
【０００１】
この発明は、ホットプレート等に用いられるような電気調理器の蓋置台に関し、さらに詳しくは蓋を立て掛けてコンパクトに置くことができる電気調理器の蓋置台に関する。
【背景技術】
【０００２】
近年、電気調理器は調理能力が高く、利用者の希望する多様な調理要請に応えることができることから家庭内等においても広く使用されている。
【０００３】
しかし、この種の電気調理器は平面的に大きな調理面を有しているものが多く、その調理面を覆う蓋も電気調理器本体と同じ形状を有するため大型になっていた。このため、大型の蓋は電気調理器本体より取り外して近くに置いておく場合に、調理場所や食卓等の近辺で大きな置き場所を必要とし、大型の蓋の置き場所が定まっていないため蓋を置く場合に不自由していた。さらに、調理中に電気調理器本体より取り外した蓋を置いておく場合に、うつ伏せに置いた場合、あるいは立て掛けておいた場合に、蓋の内面に付着している水滴が垂れて蓋を置いたテーブル等の上面を濡らすという不具合な問題が生じていた。
【０００４】
このような問題を解決するため、蓋を立て掛けて置くようにした専用の蓋の立て掛け支持金具が提案されている。例えば、逆Ｕ字形の下係合部を、鍋体の周縁部に係合させて取り付け、取り付けられた金具本体の上方に開口されているＵ字形の上係合部を蓋立て掛け部として利用するようにした蓋の立て掛け支持金具が提案されている(例えば特許文献１参照)。
【０００５】
しかし、この場合は鍋体の開口された周縁部に蓋の立て掛け支持金具を取り付けた後、該支持金具に蓋を取り付けて立て掛けるため、蓋を取り付け可能な所定の深さの鍋体が必要である。また、鍋体自体に蓋を立て掛けた場合は、蓋の重みによって鍋体の重心が偏移し、鍋体が転倒するおそれがあり、さらに蓋が調理者の視界を遮り、調理者の手が立て掛けた蓋に当たるおそれがあるなど調理時に制約を受けて、調理に支障が生じる。例えば、ホットプレートのように調理深さが浅く、しかも大きな蓋の場合は不安定な支持構成になりやすく安全性が劣るために適用できなかった。
【０００６】
また、蓋の中央上面に突出するツマミにクリップ式の支持金具を着脱させ、該クリップ式の支持金具で蓋を支持して蓋を調理台や卓上に起立姿勢に置くか、あるいは鍋体の周縁部に起立姿勢で取り付けるようにしたものが提案されている(例えば特許文献２参照)。
【０００７】
しかし、この場合はツマミにクリップ式の支持金具を取り付ける構成のため、蓋の中央上面にクリップできるツマミがない場合、例えば蓋の両側に取っ手を有するような蓋の場合には適用できなかった。
【０００８】
さらに、支柱を組み合わせて構成される鍋蓋スタンドと、その下部に平面的に配置される汁受けトレーとを上下に配置して構成したものが提案されている（例えば特許文献３参照）。
【０００９】
しかし、これらは独立した別々の鍋蓋スタンドと汁受けトレーとの２部品を配置する構成であるため大きな配置スペースを要し、コンパクト化できず、また個別に取り扱うため取扱性が悪い問題を有していた。
【先行技術文献】
【特許文献】
【００１０】
【特許文献１】特開２００６−１９８１４０号
【特許文献２】特開２００４−２６７７２９号
【特許文献３】特開２００２−２４８０５８号
【発明の概要】
【発明が解決しようとする課題】
【００１１】
そこでこの発明は、上述の課題に鑑みホットプレートに使用されるような大型の蓋であっても大きな置き場所をとらず、コンパクトに立て掛けておくことができる電気調理器の蓋置台を提供することを課題とする。
【課題を解決するための手段】
【００１２】
この発明は、電気調理器の蓋を立て掛けて置く電気調理器の蓋置台であって、脚部から上方に立ち上げて上部に形作られた蓋立て掛け部と、下部に形作られた受皿取付部とをフレームにより形成したフレーム枠体を設け、凹形状を有し、その凹形状の周縁の一部に傾斜姿勢の蓋の下部側を係合して支持する係合支持部と、前記受皿取付部を形作るフレームに位置規制されて支持される位置規制部とを備えた受皿を、前記フレーム枠体に取り付けて構成される電気調理器の蓋置台であることを特徴とする。
【００１３】
この発明の実施態様として、前記受皿取付部は、前記受皿の外周囲を前記フレームにより支持して前記受皿を着脱自在の載せ置き式に支持することができる。
【００１４】
他の実施態様として、前記受皿は、前記フレーム枠体を搭載した基台として構成することができる。
【００１５】
他の実施態様として、前記フレーム枠体を、前記基台に巻き付けるように折り畳む折畳構造を有する構成とすることができる。
【００１６】
他の実施態様として、前記受皿は、傾斜姿勢の蓋の下部周縁に沿って該受皿の長手方向を滑らかに湾曲させた平面視円弧形状に設けて構成することができる。
【００１７】
またこの発明は、電気調理器の蓋を立て掛けて置く電気調理器の蓋置台であって、前記蓋を傾斜させた傾斜姿勢の蓋の下部側を受け入れる凹溝状の傾斜凹部を備えた蓋置ブロックを設け、前記傾斜凹部は、該傾斜凹部への流入水を溜める空間部と、前記蓋の下端部を受け止める底面支点となる第１支点部と、該傾斜凹部内で傾斜対向する上傾斜側の内側面に形成され、該傾斜凹部に受け入れた傾斜姿勢の蓋下部側の傾斜上面に接して該蓋下部側の傾斜上面を局部的に支える上面支点となる第２支点部と、前記第２支点部よりも少なくとも1つが高位に位置して該傾斜凹部内で傾斜対向する下傾斜側の内側面に形成され、該傾斜凹部に受け入れた傾斜姿勢の蓋下部側の傾斜下面に接して該蓋下部側の傾斜下面を局部的に支える下面支点となる第３支点部とを備えた電気調理器の蓋置台を構成することができる。
【発明の効果】
【００１８】
この発明によれば、ホットプレートのような電気調理器に用いられる大きな蓋であっても大きな置き場所をとらず、傾斜姿勢に支持してコンパクトに立て掛けて置くことができる。
【図面の簡単な説明】
【００１９】
【図１】（Ａ）は実施例１のホットプレートの蓋置台を示す外観斜視図、（Ｂ）はその分解斜視図。
【図２】（Ａ）は実施例１のホットプレートの蓋置台を示す平面図、（Ｂ）はその正面図、（Ｃ）はその背面図。
【図３】（Ａ）は実施例１のホットプレートの蓋置台を示す底面図、（Ｂ）はその左側面図、（Ｃ）はその右側面図。
【図４】（Ａ）は実施例１のホットプレートの蓋置台の使用状態を示す側面図、（Ｂ）はその斜視図。
【図５】（Ａ）は実施例２のホットプレートの蓋置台を示す外観斜視図、（Ｂ）はその分解斜視図。
【図６】（Ａ）は実施例３のホットプレートの蓋置台を示す外観斜視図、（Ｂ）はその斜視図。
【図７】（Ａ）は実施例４のホットプレートの蓋置台を示す外観斜視図、（Ｂ）はその折畳状態を示す側面図。
【図８】（Ａ）は実施例５のホットプレートの蓋置台を示す外観斜視図、（Ｂ）はその使用状態を示す平面図、（Ｃ）はその使用状態を示す側面図。
【図９】実施例６のホットプレートの蓋置台を示す外観斜視図。
【図１０】（Ａ）は実施例６のホットプレートの蓋置台を示す平面図、（Ｂ）はその正面図、（Ｃ）はその背面図。
【図１１】（Ａ）は実施例６のホットプレートの蓋置台を示す底面図、（Ｂ）はその左側面図、（Ｃ）はその右側面図。
【図１２】実施例６のホットプレートの蓋置台の使用状態を示す側面図。
【図１３】実施例７のホットプレートの蓋置台を示す外観斜視図。
【図１４】（Ａ）は実施例７のホットプレートの蓋置台を示す平面図、（Ｂ）はその正面図、（Ｃ）はその背面図。
【図１５】（Ａ）は実施例７のホットプレートの蓋置台を示す底面図、（Ｂ）はその左側面図、（Ｃ）はその右側面図。
【図１６】実施例７のホットプレートの蓋置台の使用状態を示す側面図。
【図１７】実施例８のホットプレートの蓋置台を示す外観斜視図。
【図１８】（Ａ）は実施例８のホットプレートの蓋置台を示す平面図、（Ｂ）はその正面図、（Ｃ）はその背面図、（Ｄ）はその底面図、（Ｅ）はその側面図。
【図１９】（Ａ）は実施例８のホットプレートの蓋置台の蓋支持構造を示す要部説明図、（Ｂ）はその蓋傾斜支持状態を示す要部縦断面図。
【発明を実施するための形態】
【００２０】
以下、この発明の実施の形態を図面に基づいて説明する。図面は電気調理器の蓋置台を示し、ホットプレートのような大型の電気調理器の蓋をコンパクトに立て掛けて置くことができる実施形態を示す。
【実施例１】
【００２１】
図１、図２及び図３は電気調理器の蓋置台の一例に用いられるホットプレートの蓋置台１を示し、このホットプレートの蓋置台１は図１（Ａ）に示すように、フレーム枠体１００と、このフレーム枠体１００に取り付けられる受皿２００とから構成される。
【００２２】
フレーム枠体１００は、線状のフレーム１０１を屈曲して、脚部１１０と、蓋立て掛け部１２０と、受皿取付部１３０とをそれぞれ立体的に形作っている。ここに用いられるフレーム１０１は耐久性に優れた線材、例えば断面円形の鋼線を使用し、この１本の鋼線を矩形のループ状に構築してフレーム枠体１００をシンプルで無駄のない形状に構成している。
【００２３】
このうち、脚部１１０は、図１（Ｂ）にも示すように、平面視コ形状の部分であり、該コ形部分の平面的な縦横の３辺が支持脚となり、テーブル等の平面的な上面に置かれる。そして、この脚部１１０の開放端側の左右より立ち上げた立体的な部分の頂部が蓋立て掛け部１２０となる。
【００２４】
前記蓋立て掛け部１２０は、フレーム１０１の立ち上げ方向を平面視コ形状の閉鎖端側に折り返して傾斜姿勢（例えば７０度）に立ち上げている。その立上げた両側のフレーム１０１の上端部を山形状に接合し、立ち上げた部分を三角形状に形作っている。この傾斜姿勢に立上げた三角形状の頂部が逆向きに傾斜対向する蓋３００（図４参照）を支える蓋立て掛け部分となる。
【００２５】
前記受皿取付部１３０は、前記脚部１１０を構成している両側の平行するフレーム１０１の部分を、さらに支持突起１３１と受皿搭載フレーム１３２とにそれぞれ構成している。
【００２６】
前記支持突起１３１は両側の平行する各フレーム１０１に、該フレーム１０１の左右に小さく山形状に突出させて設けたものである。該支持突起１３１は受皿２００の側面を支持する間隔に形成され、合計４ヶ所突出させて設けている。これらの支持突起１３１で囲まれる空間が受皿２００の取付空間部となり、ここに受皿２００を置いたとき、その受皿２００の外側面を４個の支持突起１３１が挟み込むように支持する構造を有している。
【００２７】
前記受皿搭載フレーム１３２は、左右の支持突起１３１の間をつないでいる直線状のフレームに該当し、平行する直線状の両フレームが受皿搭載部分となり、ここに受皿２００の下面を嵌合させて搭載できるように脚部１１０の下面より若干上方に浮かして設けている。
【００２８】
受皿２００は、平面視長楕円形で周縁部を起立させた凹形状を有し、さらに凹形状の上面周縁部に切欠いて設けた係合支持部２１０と、下面にフレーム嵌合用に凹部形成した溝状の位置規制部２２０とを備えて構成される。
【００２９】
前記係合支持部２１０は、受皿２００の楕円形長手方向の両端部に起立している周縁部の一部をそれぞれ凹形状に切欠いて設けている。この切欠き部分に蓋３００の下部側を係合させて、蓋３００を傾斜姿勢に支持する役目を有している。この係合支持部２１０の切欠き形状は傾斜姿勢で立て掛けられる蓋３００の下部の傾斜した向きの形状に応じた形に切り欠いて設ける。これにより、蓋３００の傾斜姿勢の向きを特定するようにしている。
【００３０】
また、受皿２００の上面に蓋３００を載せた際に、その蓋３００に付着している水滴Ｗが蓋３００の内面を伝って流下しても該受皿２００の凹部内で溜めることができる貯水機能をも有している。さらに、この受皿２００定位置に安定して取り付けるために、受皿２００の下面側には位置規制部２２０が備えられている。
【００３１】
前記位置規制部２２０は、受皿２００の下面に形成され、前記脚部１１０の受皿搭載フレーム１３２と対応する該受皿２００の下面幅方向に、断面逆Ｕ字形の溝をフレーム嵌合用として２本平行して形成している。該位置規制部２２０を前記受皿搭載フレーム１３２の上方よりそれぞれ嵌合させることにより受皿２００をフレーム枠体１００の定位置に取り付けることができる。
【００３２】
このように受皿２００は上面に蓋支持機能と貯水機能を有し、下面に該受皿２００の位置決め機能を備えている。なお、受皿２００の下面に溝状に形成される位置規制部２２０と対応する該受皿２００の上面側には、その形成に伴う上向きの膨らみ部２２１が形成される。
【００３３】
そして、フレーム枠体１００に受皿２００を取り付ける際は、フレーム枠体１００の受皿取付部１３０に、その上方より受皿２００を水平に載せる。このとき、受皿２００の左右の外側面が、その両側に対向する支持突起１３１に接触し、各支持突起１３１が受皿２００を挟み込んだ状態で対接し、合計４個の支持突起１３１により受皿２００は幅方向が位置決めされて支持される。これと同時に受皿搭載フレーム１３２上に受皿２００の下面に形成されている位置規制部２２０を嵌め込むと、受皿２００は長手方向が位置決めされて支持される。
【００３４】
したがって、受皿２００をフレーム枠体１００の受皿取付部１３０に位置合せして置くだけで取り付けることが可能になり、受皿２００をフレーム枠体１００に載せ置き式に取り付けることができる。
【００３５】
さらに、受皿２００は受皿取付部１３０によって、該受皿２００の縦方向と横方向の位置が位置決め固定されるため、受皿２００の取付後は外力を受けても位置ずれするおそれがなく、フレーム枠体１００に安定して取り付けることができる。
【００３６】
また、フレーム枠体１００から受皿２００を取り外す際は、利用者が受皿２００を掴んで上方に持ち上げると、下方の受皿搭載フレーム１３２と、その上方の位置規制部２２０との嵌合が外れて、受皿２００を取り外すことができる。このため、受皿２００をフレーム枠体１００に着脱自在に支持させることができる。
【００３７】
さらに、受皿２００に蓋３００を載せて支持した場合、蓋３００の重量が受皿２００に掛かるとともに、重心が傾斜した側に寄るため、この重心位置に該ホットプレートの蓋置台１の重心位置が略対応するようにバランスよく設定する。この設定に際しては、例えば、前記蓋立て掛け部１２０の傾斜角度を調整するとよい。つまり、蓋立て掛け部１２０の傾斜角度を調整することによって蓋３００の重心位置を調整することができる。よって、蓋立て掛け部１２０の傾斜角度を適用対象の蓋の大きさや形状に応じた最適な角度に設定しておくとよい。
【００３８】
このように構成されたホットプレートの蓋置台１の使用状態を、図４を参照して説明する。  
ホットプレートの蓋３００を立て掛ける場合、図４（Ａ）に示すように、テーブル４００の上面に置かれたホットプレートの蓋置台１の受皿２００に、利用者が蓋３００の中央上面に突出している取っ手３１０を掴んで該蓋３００を略９０度回転させて垂直に近い傾斜姿勢にして載せる。
【００３９】
このとき、図４（Ｂ）に示すように、受皿両側の係合支持部２１０に、蓋３００の下部周縁部３２０が係合される。さらに、蓋３００の上部側を蓋立て掛け部１２０に近づく側に傾かせる。このとき、傾いた蓋３００の傾斜下面側の中間高さ位置が蓋立て掛け部１２０に受け止められて、起立姿勢に近い傾斜姿勢となる。図４においては、蓋３００の傾斜上面側（取っ手側）を蓋立て掛け時の傾斜方向に設定している。
【００４０】
さらに、蓋３００が傾斜姿勢で立て掛けられているときは、該蓋３００の重量がその下方の受皿２００に掛かる。そのため、脚部１１０に載せ置いた受皿２００は下方に押し付けられた状態となり、受皿２００とその下方の脚部１１０との結合性が高められる。
【００４１】
また、調理直後に立て掛けた蓋３００の内面（下面側）に水滴Ｗが付着している場合は、該水滴Ｗが自重により立て掛けられた蓋３００の内面を伝って流下するが、その水滴Ｗは下方の受皿２００内へと自然に導くことができる。よって、テーブル４００の上面は水滴Ｗによって濡れることがない。
【００４２】
さらに、受皿２００はフレーム枠体１００に載せ置き式に着脱できる構成のため、該受皿２００の不使用時にはフレーム枠体１００より取り外して個別に管理してもよく、また受皿２００やフレーム枠体１００を洗浄する場合にも別々に扱うことができ、容易に洗浄できる。
【００４３】
また、蓋３００の形状が長楕円形状以外に長方形状や円形などの様々の外形状を有していても、その外形状に対応させた形状の受皿にすればよく、各種の蓋を立て掛けることができる。さらに、蓋の取っ手が該蓋の中央部ではなく両側に有するような形態の蓋であっても支障なく適用できる。
【００４４】
このようにホットプレートの蓋置台１を使用すれば、蓋３００を水平ではなく垂直に近い縦長のスペースの傾斜姿勢に立て掛けておくことができる。このため大きな蓋３００であっても大きな配置スペースをとらず、コンパクトな配置状態にて立て掛けておくことができる。さらに、ホットプレートのように調理深さが浅いためにホットプレートの側面に蓋３００を立て掛けられないものや、蓋３００をホットプレートの近くに頻繁に置いて使用するような場合であっても調理に支障なく適用することができ、蓋の管理が的確に向上する。
【００４５】
ことに、大きな蓋をコンパクトに効率よく管理できることから調理途中での蓋の置き場所など不使用時の蓋の置き場所に困らなくなる。さらに、蓋を独立して立て掛ける専用の蓋置台であるためホットプレートの上面を閉じた蓋の使用時と取り外された蓋の不使用時との蓋の置く位置が定まって蓋の取り扱いが容易になる。
【実施例２】
【００４６】
図５（Ａ）は実施例２のホットプレートの蓋置台１を示し、このホットプレートの蓋置台１は、実施例１のホットプレートの蓋置台１と比較して受皿取付部１４０（後述）の構成のみが異なり、他は同じ構成である。このため、同じ構成については同符号を用いてその同じ説明を省略し、異なる点についてのみ説明する。
【００４７】
この実施例２の受皿取付部１４０は、フレーム枠体１００と受皿２００とを連結する連結構造を、フレーム枠体１００が受皿２００の幅方向を挟持して連結するのではなく、フレーム枠体１００が受皿２００の長手方向を挟持して連結する連結構造を備えたものである。
【００４８】
ここに用いられるフレーム枠体１００は、図５（Ｂ）にも示すように、脚部１１０のフレーム部分を、受皿２００の長手方向両端部の半円形状と同形状に湾曲させた受皿挟持フレーム１３３を両側に形成している。
【００４９】
また、受皿挟持フレーム１３３の部分では、フレームを屈曲させて受皿２００を両側から挟み込む弾性支持機能を持たせている。該両側の受皿挟持フレーム１３３の弾性支持により受皿２００を長手方向の両側より挟持する構成を有している。
【００５０】
受皿２００は、長手方向両端部の半円形外側面に、前記受皿挟持フレーム１３３の内周側を係合させる位置規制部を兼ねた断面半円形状の半円形溝２３０を形成している。このため、フレーム枠体１００と受皿２００との連結時には、両側の受皿挟持フレーム１３３を掴んで左右に広げた状態で受皿２００の両側の半円形溝２３０に係合させれば、両者を一体化することができる。したがって、受皿２００の下面に位置規制部２２０(実施例１参照)のような連結構造が不要となり、この受皿２００の下面全体がテーブル等の上面に脚部の一部として平面的に置かれる。
【００５１】
このような受皿取付部１４０を備えることにより、フレーム枠体１００と受皿２００とを連結して一体化できるため単体として扱うことができ、傾けて持ち運んでも受皿２００は外れることがない。また、蓋３００を起立状態に維持させる縦長のスペースがあれば配置できるため大きな蓋３００であっても大きな置き場所をとらず、コンパクトな配置状態にて省スペースに立て掛けておくことができる。
【実施例３】
【００５２】
図６（Ａ）は実施例３のホットプレートの蓋置台１を示し、このホットプレートの蓋置台１は、実施例１のホットプレートの蓋置台１と比較して受皿取付部１５０（後述）の構成のみが異なり、他は同じ構成である。このため、同じ構成については同符号を用いてその同じ説明を省略し、異なる点についてのみ説明する。
【００５３】
この実施例３の受皿取付部１５０は、フレーム枠体１００と受皿２００とを連結する連結構造を、フレーム枠体１００を受皿２００の一側面に枢支させて連結する連結構造に構成したものである。
【００５４】
ここに用いられるフレーム枠体１００は、図６（Ｂ）にも示すように、脚部１１０として設けられる平行するフレームの両端部を互いに対向させた内向きに屈曲する各Ｌ形状の枢支軸１５１を設け、該枢支軸１５１を受皿２００側で軸支する構成を有している。
【００５５】
受皿２００は、長手方向の一外側面に前記枢支軸１５１を枢支させる位置規制部を兼ねた枢支部２４０が備えられている。該枢支部２４０は該受皿２００の一外側面に沿って水平方向に２か所横長に突出している。そして、該突出している横長突出部の軸心部に開口されている各枢支孔２４１に前記一対の枢支軸１５１をそれぞれ挿通させて軸支している。このため、フレーム枠体１００と受皿２００との連結時には、両側のフレームを掴んで左右に広げた状態で該枢支軸１５１を受皿２００の両側の枢支孔２４１にそれぞれ挿通させれば、両者を一体化することができる。したがって、受皿２００の下面に位置規制部２２０のような連結構造が不要となり、この受皿２００の下面全体がテーブル等の上面に脚部の一部として平面的に置かれる。
【００５６】
さらに、受皿２００の下面に、滑り止めシートを貼着、あるいは滑り止め加工等を施した滑り止め部２５０を形成してもよい。この場合は、受皿２００の下面が一脚部としてテーブルの上面に接触し、受皿２００を一層安定化させて使用することができる。
【００５７】
このような受皿取付部１５０を備えることにより、フレーム枠体１００と受皿２００とを一体化した状態に連結できる。このため、単体として扱うことができ、傾けて持ち運んでも受皿２００は外れることがない。また、蓋３００を起立させる縦長のスペースがあれば配置できるため、大きな蓋３００であっても省スペースに立て掛けておくことができる。ことに、受皿２００が脚部の一部を兼ねて配置される構成となるため、ホットプレートの蓋置台１の幅方向長さを短縮でき、一層コンパクト化することができる。
【実施例４】
【００５８】
図７（Ａ）は実施例４のホットプレートの蓋置台１を示し、このホットプレートの蓋置台１は、実施例１のホットプレートの蓋置台１と比較してフレーム枠体１００を折畳式にした点が異なり、他は同じ構成である。このため、同じ構成については同符号を用いてその同じ説明を省略し、異なる点についてのみ説明する。
【００５９】
この実施例４のフレーム枠体１００は、脚部１１０として設けられる平行するフレームの両端部を互いに対向させた内向きに屈曲する各Ｌ形状の枢支軸１６１を設け、該枢支軸１６１を受皿２００側で軸支する構成を有している。
【００６０】
受皿２００は、長手方向一側面に、前記枢支軸１６１を枢支させる位置規制部を兼ねた枢支部２６０が備えられている。該枢支部２６０は該受皿２００の一外側面に沿って水平方向に２か所筒状に突出している。そして、該突出している筒状の軸心部に各開口されている枢支孔２６１に前記一対の枢支軸１６１をそれぞれ挿通させて軸支している。このため、フレーム枠体１００と受皿２００との連結時には、両側のフレームを掴んで左右に広げた状態で該枢支軸１６１を受皿２００の両側の枢支孔２６１にそれぞれ挿通させれば、両者を一体化することができる。したがって、受皿２００の下面に位置規制部２２０のような連結構造が不要となり、この受皿２００の下面全体がテーブル等の上面に脚部の一部として平面的に置かれる。
【００６１】
さらに、フレーム枠体１００の折畳を可能にするため、前記枢支部２６０の高さ位置を受皿２００の上面高さより高く立ち上げて突出させている。これにより、図７（Ｂ）に示すように、枢支部２６０を回動支点にフレーム枠体１００を受皿２００の上面側に回動させることが可能になり、該フレーム枠体１００を受皿２００に巻き付けるように１８０度回動させることによりコンパクトに折り畳むことができる。
【００６２】
このように、フレーム枠体１００と受皿２００との連結部を受皿２００の上面より高い位置に軸支する軸支構造にすれば、枢支部２６０を回動支点にしてフレーム枠体１００をコンパクトに折り畳むことができる。
【実施例５】
【００６３】
図８（Ａ）は実施例５のホットプレートの蓋置台１を示し、このホットプレートの蓋置台１は、実施例１のホットプレートの蓋置台１と比較して受皿２００を湾曲させた外観形状のみが異なり、他は同じ構成である。このため、同じ構成については同符号を用いてその同じ説明を省略し、異なる点についてのみ説明する。
【００６４】
この実施例５の受皿２００は、図８（Ｂ）及び図８（Ｃ）にも示すように、該受皿２００の長手方向を、傾斜姿勢の蓋３００の下部外周縁３０１に沿った平面視円弧形状の滑らかな湾曲ライン２７０に形作り、受皿２００を趣のある形状に設けたものである。
【００６５】
これにより、受皿２００の外観形状が流動的で特有な形に表されて美観が向上する。特に、蓋３００の外周縁の円弧面形状に沿うように対応させれば美的感覚が高まり、高級感や趣のある蓋置台１となる。さらに、この受皿２００の外表面に模様や図柄などを施すと、一層趣のある蓋置台１となる。
【実施例６】
【００６６】
図９、図１０及び図１１は実施例６のホットプレートの蓋置台１を示し、このホットプレートの蓋置台１は、フレーム枠体１００と、このフレーム枠体１００を搭載する受皿２００とから構成される。
【００６７】
前記フレーム枠体１００は、線状のフレーム１０１を屈曲して下部のフレーム固定軸部１７０と、上部の蓋立て掛け部１２０とを立体的に形作って構成している。ここに用いられるフレーム１０１は耐久性に優れた線材、例えば断面円形の鋼線を使用し、この１本の鋼線をＬ形状に形成してフレーム枠体１００をシンプルで無駄のない形状に構成している。
【００６８】
このうち、フレーム固定軸部１７０は１本の鋼線を屈曲形成して、その両端を固定用の脚部として形作られた両側に平行する部分であり、該２本の平行するフレーム固定軸部１７０が受皿上面のフレーム搭載部２８０（後述）に固定される。そして、該フレーム固定軸部１７０より立ち上げた立体的な部分が後述する蓋立て掛け部１２０となる。
【００６９】
上述の蓋立て掛け部１２０は、前記水平なフレーム固定軸部１７０より上向きに屈曲して傾斜姿勢（例えば７０度）に立ち上げている。その立上げた部分を三角形状に形作り、この三角形状の頂部が傾斜姿勢の蓋３００（図１２参照）の中間高さ部分を支える蓋立て掛け部分となる。
【００７０】
受皿２００は平面視正方形状に設けられ、その上面の一側にフレーム搭載部２８０を備え、上面の他側に蓋搭載部２９０を備えている。
【００７１】
前記フレーム搭載部２８０は、一側に平面的な上面を有し、該上面に、前記フレーム固定軸部１７０を若干沈み込ませた状態に支持するフレーム支持溝２８１と、そのフレーム支持溝２８１の一側上面を覆ってフレーム固定軸部１７０の固定孔を形成する半割筒部２８２とから構成される。
【００７２】
前記フレーム支持溝２８１は、溝方向が蓋搭載部２９０側に向き、該フレーム支持溝２８１及び半割筒部２８２内にフレーム固定軸部１７０を挿通させて固定したとき、該部位より傾斜姿勢で立ち上げられた蓋立て掛け部１２０は蓋搭載部２９０側に接近した受皿２００の中央上方に向かって傾斜している。
【００７３】
さらに、蓋搭載部２９０の両側面には凹形状に一部切欠いた係合支持部２１０を設けている。該係合支持部２１０に蓋３００の下部側を係合させて、蓋３００を傾斜姿勢に支持する役目を有している。この係合支持部２１０の切欠き形状は傾斜姿勢で立て掛けられる蓋３００の下部形状に応じた形に切り欠いて設けている。
【００７４】
また、ここに支持した蓋３００に付着している水滴が蓋３００の内面を伝って流下しても該受皿２００の凹状を形成している蓋搭載部２９０内で溜めることができる。
【００７５】
さらに、受皿２００に蓋３００を載せて傾斜姿勢で支持した場合、蓋３００の重心が傾斜した側に寄るため、蓋３００の重心の位置に該蓋置台１の重心位置が対応するようにバランスよく設定する。例えば、蓋立て掛け部１２０の傾斜角度を調整することで蓋の重心位置を調整できるため、蓋立て掛け部１２０の傾斜角度を最適な角度に設定しておくとよい。
【００７６】
このように構成されたホットプレートの蓋置台１の使用状態を、図１２を参照して説明する。  
ホットプレートの大型の蓋３００を立て掛ける場合、テーブル４００の上面に置かれたホットプレートの蓋置台１の受皿２００に、例えば利用者が蓋３００の中央上面に突出している取っ手３１０を掴んで該蓋３００を略９０度回転させて垂直に近い姿勢にして載せる。
【００７７】
このとき、図１２に示すように、受皿２００の係合支持部２１０に、蓋３００の下部周縁部３２０を係合させる。さらに、蓋３００の上部側を蓋立て掛け部１２０側に傾かせ、該蓋３００の中間高さ位置の部分が蓋立て掛け部１２０に受け止められて蓋３００は起立姿勢に近い傾斜姿勢に立て掛けられる。
【００７８】
さらに、蓋３００が傾斜姿勢で立て掛けられているときは、該蓋３００の重量がその下方の受皿２００に掛かる。このため、受皿２００は下方に押し付けられた状態となり、蓋３００は受皿２００に安定して支持される。
【００７９】
また、調理直後に立て掛けた蓋３００の内面（下面側）に水滴が付着しているような場合であっても、立て掛けられた蓋３００の内面を伝って水滴が流下するため、その水滴を下方の蓋搭載部２９０内に導くことができる。よって、テーブル４００の上面は水滴によって濡れることがない。さらに、蓋の形状が長方形状や円形などの様々の外形状を有していても立て掛けることができる。また、蓋の取っ手３１０が該蓋の中央部ではなく両側に有するような形態の蓋であっても支障なく利用できる。
【００８０】
このようにホットプレートの蓋置台１を使用すれば、蓋３００を水平ではなく垂直に近い傾斜姿勢に立て掛けておくことができる。このため、大きな蓋３００をコンパクトな傾斜姿勢にて立て掛けておくことができる。さらに、受皿２００は平板状を有して安定感のある基台に構成されているため転倒するおそれがなく、該受皿２００にシンプルなフレーム枠体１００を差し込むだけで容易にホットプレートの蓋置台１を構成できる。
【実施例７】
【００８１】
図１３、図１４及び図１５は実施例７のホットプレートの蓋置台１を示し、このホットプレートの蓋置台１は、実施例６のホットプレートの蓋置台１と比較してフレーム枠体１００のみが異なり、他は同じ構成である。このため、同じ構成については同符号を用いてその同じ説明を省略し、異なる点についてのみ説明する。
【００８２】
前記実施例７のフレーム枠体１００は、線状のフレームではなく、プレート状のフレームを用いて構成したものである。ここに用いられるフレーム枠体１００はプレートをＬ形状に屈曲して下部のプレート固定部１８０と、上部の蓋立て掛け部１２０とを立体的に形作って構成している。
【００８３】
前記プレート固定部１８０は固定用の脚部として平面視四角形状に形作られ、その前端縁１８１と両側縁１８２とが後述する受皿２００に係止されて受皿２００に固定される。
【００８４】
このうち、前端縁１８１は受皿上面の前縁ストッパ部２９１（後述）に当接して位置決めされるストッパ面として設けられる。両側縁１８２は前端側から基端側にかけて幅狭にしたハの字形に傾斜して設けており、これらの両側縁１８２が受皿上面の側縁係止部２９２（後述）に係止されて位置決め固定される連結部として設けられる。そして、該プレート固定部１８０より立ち上げた立体的な部分が後述する蓋立て掛け部１２０となる。
【００８５】
上述の蓋立て掛け部１２０は、前記水平なプレート固定部１８０より上向きに屈曲して折り返した傾斜姿勢（例えば７０度）に立ち上げている。その立上げた頂部を傾斜姿勢の蓋３００（図１６参照）の中間高さ部分を支える蓋立て掛け部分となる。
【００８６】
さらに、この蓋立て掛け部１２０の中央上部にはＵ字形状に切欠いて美観を高めた凹状開口部１２１を形成している。また、この凹状開口部１２１を蓋３００の取っ手対応位置まで立ち上げて、該凹状開口部１２１に取っ手３１０を介在させて支持するように構成することもできる。なお、前記プレート固定部１８０と蓋立て掛け部１２０との屈曲面間には支え板１８３により双方を補強して十分な強度を持たせている。
【００８７】
受皿２００は平面視正方形状に設けられ、その上面の一側に、実施例６と異なるフレーム搭載部２８０が備えられている。該フレーム搭載部２８０は平面的な上面に、上述の前縁ストッパ部２９１と左右の側縁係止部２９２とをそれぞれ突設して、前記プレート固定部１８０をコ形状の３辺で囲むように対応して支持する構成を有している。
【００８８】
前記前縁ストッパ部２９１は、前記プレート固定部１８０の前縁中央部と対向する位置に突出し、該プレート固定部１８０が前方に移動するのを位置規制している。
【００８９】
左右の側縁係止部２９２は、前記プレート固定部１８０の側縁と対向する位置に突出し、該プレート固定部１８０が左右に移動するのを位置規制している。また、側縁の対向部分には一方を凸部に他方を凹部に形成して凹凸対応させるとともに、該プレート固定部１８０のハの字形の側縁に対応させているため、該プレート固定部１８０は後方に対しての移動を規制している。
【００９０】
また、前記フレーム枠体１００及び受皿２００は、例えばステンレス等の金属材や合成樹脂材等で構成することができる。
【００９１】
このようなホットプレートの蓋置台１を使用すれば、大きな蓋３００をコンパクトに効率よく立て掛けておくことができる。さらに、受皿２００が平板状を有して安定感のある基台となる。また、プレート状の接触幅の広い蓋立て掛け部１２０を使用することによって蓋３００を安定して支えることができる。
【実施例８】
【００９２】
図１７及び図１８は実施例８のホットプレートの蓋置台１を示し、このホットプレートの蓋置台１は、図１９に示すように、垂直に近い傾斜姿勢の蓋３００の下部側を受け入れる傾斜凹部８１０を上面に備えた蓋置ブロック８００により構成される。
【００９３】
この蓋置ブロック８００は正面視台形状の台形柱状のブロックであり、該台形柱状の上面長手方向に蓋３００の下部を挿入させる溝状の傾斜凹部８１０が開口されている。
【００９４】
前記傾斜凹部８１０は、図１９（Ａ）に示すように、蓋３００の下部を挿入させる溝幅間隔を有し、その溝内部には溝内へと導かれた流入水を溜める凹状空間部８２０と、ここに挿入された傾斜姿勢の蓋３００の下端部３３０を受け止める底面支点となる第１支点部８３０と、該傾斜凹部８１０内の溝幅方向で傾斜対向する上傾斜側の内側面８１１に形成され、該傾斜凹部８１０に受け入れた傾斜姿勢の蓋下部側の傾斜上面３３１に接して該蓋下部側の傾斜上面３３１を局部的に支える上面支点となる第２支点部８４０と、前記第２支点部８４０よりも高位に位置して該傾斜凹部８１０内で傾斜対向する下傾斜側の内側面８１２に形成され、該傾斜凹部８１０に受け入れた傾斜姿勢の蓋下部側の傾斜下面３３２に接して該蓋下部側の傾斜下面３３２を局部的に支える下面支点となる第３支点部８５０とを備えて構成される。
【００９５】
前記第１支点部８３０は傾斜凹部８１０の底面であり、この傾斜凹部８１０に挿入された蓋３００の下端部３３０を当接させて蓋３００の荷重を受け止める水平な底面である。例えば、円形の蓋を受け止める場合は、図１９（Ｂ）に示すように、傾斜姿勢での円形蓋の最下端となる一点を底面で支持し、長方形状の蓋の場合は傾斜姿勢での下端となる一辺を底面で支持することになる。
【００９６】
第２支点部８４０は、傾斜凹部８１０内で略平行して傾斜対向する上傾斜側の内側面８１１の中間高さ位置に、半円形に突出させた円形突出部である。この円形突出部が、傾斜姿勢の蓋下部側の傾斜上面３３１に局部的に接触する突出量に設定している。
【００９７】
第３支点部８５０は、傾斜凹部８１０内で傾斜対向する下傾斜側の内側面８１２の上端縁部である。この上端縁部が、傾斜姿勢の蓋下部側の傾斜下面３３２に局部的に接触する。
【００９８】
この際、前記第２支点部８４０の高さ位置より該第３支点部８５０の高さ位置を高位にすることにより、蓋３００が傾く方向を第３支点部８５０側に傾かせる。さらに、蓋３００を両側より挟むように接触する第２支点部８４０と第３支点部８５０との高さ位置を変えると蓋３００の傾斜角度を変えることができる。このため、双方の支点部８４０，８５０の高さによって蓋３００を任意の傾斜姿勢に調整できる。また、傾斜凹部８１０の幅間隔を広げる程、蓋３００を大きく傾斜させることができ、また幅間隔を狭める程、蓋３００の傾斜角度を小さくすることができる。
【００９９】
ことに、蓋３００を傾斜姿勢で支持する際、単に凹部で支持するのではなく、傾斜凹部８１０にすることにより第２支点部８４０では上傾斜側の内側面８１１が傾斜して蓋の傾斜面に接近するため突出量が小さくて済む。一方、第３支点部８５０では下傾斜側の内側面８１２のうち、上端縁部が最も蓋の傾斜面に接近するため該上端縁部を第３支点部８５０に兼用することができる。
【０１００】
さらに、傾斜凹部８１０内に傾斜姿勢で挿通された蓋３００の下部を、該蓋３００の下端とその両側を局部的に支持する第１〜第３の支点部８３０，８４０，８５０により支持する３点支持構造となり、蓋３００を起立姿勢に近い傾斜姿勢に支持することができる。
【０１０１】
前記傾斜凹部８１０に蓋３００の下部を挿入させた場合、ここに挿入された蓋３００の下部は、傾斜凹部８１０に備わっている第１〜第３の支点部８３０〜８５０による３点支持構造によって支持され、この３点支持構造により蓋３００はバランスよく安定して支持されて傾斜姿勢の一定の角度で支持されることになる。さらに、蓋との接触安定性及び設計強度を高めるために各支点部を、同支点となる接線上に複数設けてもよい。
【０１０２】
このように蓋置ブロック８００だけで実施例１の係合支持部２１０の機能と蓋立て掛け部１２０の機能との両機能を持たせることができる。このため、フレーム枠体１１０を省略した単体のブロックにて構成できる。よって、ホットプレートの蓋置台１はフレームを上方に立ち上げないコンパクトな構成にできる。
【０１０３】
前記蓋置ブロック８００の使用に際しては、蓋３００を傾斜姿勢で支持した場合、該蓋３００の重みにより転倒しないように重量のあるブロックを使用するのが好ましい。例えば、重量のある金属材等の外周囲を樹脂材で被覆するなどして作ることができる。さらに、蓋置ブロック８００に安定感を持たせるために台形柱状のように底部側を広くした外形状にするのが適している。
【０１０４】
この場合も、蓋３００の内面が上面側となる傾斜姿勢であるため、調理直後に蓋３００に付着している水滴は蓋３００の内面に沿って流下し、下方の凹状空間部８２０に回収され、テーブル等の上面を濡らすことがない。
【０１０５】
上述のように、ホットプレートのような電気調理器に用いられる大きな蓋であっても、その大きな蓋を傾斜姿勢で立て掛けることができ、大きな置き場所をとらない省スペース化を図った蓋置台が得られる。このため、大きな蓋をコンパクトに効率よく管理できることから調理途中での蓋の置き場所に困らなくなる。さらに、蓋を独立して立て掛ける専用の蓋置台であるためホットプレートに取り付けた蓋の使用時と取り外された蓋の不使用時との蓋の置く位置が定まって蓋の取り扱いが容易になる。
【０１０６】
この発明の構成と、上述の実施例の構成との対応において、この発明は上述の実施例の構成に限定されるものではなく、請求項に記載される技術思想に基づいて応用することができる。
【０１０７】
例えば、上述の実施例１〜７ではフレーム枠体１００と受皿２００とを着脱自在にした構成例を示したが、これに限らず、フレーム枠体１００と受皿２００とを一体化して構成することもできる。
【産業上の利用可能性】
【０１０８】
ホットプレート等の大型の電気調理機器の全般。
【符号の説明】
【０１０９】
１…ホットプレートの蓋置台
１００…フレーム枠体
１１０…脚部
１２０…蓋立て掛け部
１３０，１４０，１５０…受皿取付部
２００…受皿
２１０…係合支持部
２２０…位置規制部
【図１】
2011000139.tif 000003
【図２】
2011000139.tif 000004
【図３】
2011000139.tif 000005
【図４】
2011000139.tif 000006
【図５】
2011000139.tif 000007
【図６】
2011000139.tif 000008
【図７】
2011000139.tif 000009
【図８】
2011000139.tif 000010
【図９】
2011000139.tif 000011
【図１０】
2011000139.tif 000012
【図１１】
2011000139.tif 000013
【図１２】
2011000139.tif 000014
【図１３】
2011000139.tif 000015
【図１４】
2011000139.tif 000016
【図１５】
2011000139.tif 000017
【図１６】
2011000139.tif 000018
【図１７】
2011000139.tif 000019
【図１８】
2011000139.tif 000020
【図１９】
2011000139.tif 000021